(57)【特許請求の範囲】
【請求項１】
バーナヘッドが空燃混合管に連設されていること、および、液化ガス燃料容器からバルブブロックを介して上記空燃混合管内に流入する燃料ガスと、一次空気流入口から上記空燃混合管内に流入する空気とが、混合気となって当該空燃混合管から上記バーナヘッド内に上向きに噴出されるものであること、および、そのバーナヘッドの外周側位置に五徳が配設されていることを前提とする携帯式ガスバーナにおいて、上記の五徳が前記のバーナヘッドに取着された五徳連結具と、当該五徳連結具の取着連枢部を放射状配置で抱被して上下方向へ折畳み自在となるよう連枢した複数の五徳受承腕とを具備し、当該五徳受承腕の使用時には、その基端側ピンが、前記五徳連結具の横向スリットにおける基端縁部に係嵌されると共に、五徳受承腕の先端上位側係止部が、五徳連結具の上縁側被係止部に係嵌して五徳受承腕を横向状態に位置決め自在であり、五徳受承腕の不使用時には、上記五徳受承腕の先端側を上動することで、前記の先端上位側係止部を五徳連結具の上縁側被係止部から離脱した状態で五徳受承腕を引出し、これにより前記基端側ピンを前同横向スリットの先端縁部に向け移動可能とし、かつ当該状態の五徳受承腕が基端側ピンを中心として回動降下自在なるよう、五徳受承腕の折返し載置端縁部における基端側にあって、抱被された五徳連結具の先端上位角隅部が侵入可能なスリットを欠設し、これにより当該五徳受承腕が五徳連結具の取着連枢部における外側部に被嵌されて、垂下状態に折畳み保持できるものであることを特徴とする携帯式ガスバーナ。
【請求項２】
五徳における五徳受承腕の先端上位側係止部が、当該五徳受承腕の折返し載置端縁部により形成された一対の挟持板間に跨設された係止ピンによって形成されると共に、五徳連結具の上縁側被係止部が、上向きに開口した上縁側被係止欠所により形成されている請求項１に記載の携帯式ガスバーナ。
【請求項３】
五徳における五徳受承腕の先端上位側係止部が、当該五徳受承腕の折返し載置端縁部に欠設した係嵌用スリットにより形成されていると共に、五徳連結具の上縁側被係止部が、上向きに開口して上記の係嵌用スリットに係脱自在な突片部により形成されている請求項１に記載の携帯式ガスバーナ。
【請求項４】
五徳における五徳受承腕の先端上位側係止部が、当該五徳受承腕の折返し載置端縁部から延出して形成された一対の挟持板にあって、内向きに挟持間隙をもって対設した突起部により形成されていると共に、五徳連結具の上縁側被係止部が、当該五徳連結具の肉厚両面により形成されている請求項１に記載の携帯式ガスバーナ。
【発明の詳細な説明】
【０００１】
【発明の属する技術分野】
本発明は可及的に軽量かつ小形に形成され、しかも風などによって不本意に炎が吹き消されることのないよう構成された、登山とかハイキング用に供して好適な携帯式ガスバーナに関する。
【０００２】
【従来の技術】
既知のこの種ガスバーナとしては金属板に多数の小炎孔を穿設することで形成されていたことから、これら小炎孔の全開口断面積は、どうしても、それほど大きくすることができず、このため燃料ガスに対して多くの一次空気を混入し過ぎると、小炎孔から噴出する混合気の噴出によって炎が吹き飛んでしまうことになる。このため上記した一次空気の流入量は制御して、バーナヘッドの外側から二次空気を取り込む必要を余儀なくされ、この結果どうしても当該バーナヘッドを大型化しなければならず、このため携帯に不都合であるに拘わらず、大幅な小形化が不可能となっていた。
【０００３】
上記の如き欠陥を解消するため、図１３に示す如き携帯ガスバーナ（特開平１１−２３０５１３）が提案されており、これによるときは液化ガス燃料容器ａからバルブブロックｂを介して空燃混合管ｃ内へ流入する燃料ガスｄと、空燃混合管ｃ内へ一次空気流入口ｅからの空気ｆとによる混合気ｇが、空燃混合管ｃに連設したバーナヘッドｈ内へ上向きに噴出されるよう構成され、さらにこのバーナヘッドｈを抱持するようにして五徳ｉが配設されている。そして当該バーナヘッドｈを空燃混合管ｃの上端部に連結した風防筒ｊと、この風防筒ｊの内部に配設した金属繊維製バーナエレメントｋとにより形成し、これが空燃混合管ｃの混合気噴出口ｍに対して直交状態となるよう配設されている。
【０００４】
そして上記した金属繊維製バーナエレメントｋなるものは、その外部露呈面全体にわたって多数の微細炎孔を形成することができることから、混合気ｇの噴出圧力が減少し、この結果一次空気流入口ｅからの空気ｆを多量に流入させて混合気ｇの流量を増大させても、炎が飛んでしまうといった欠陥が解消されることとなる。従ってバーナヘッドｈの外周側箇所から取り込む二次空気量の削減が可能となり、風防筒ｊを小径化することができることから、携帯式バーナの小形化が可能となる利点を有している。
【０００５】
しかし上記の従来例によるときは、混合気噴出口ｍに対し直交状となるよう上記の金属繊維製バーナエレメントｋが横設されたものであることから、小形化されているだけ金属繊維製バーナエレメントｋの全表面積も小さくなり、かつ微細炎孔の総数についても満足すべきものとはなっておらず、従って充分な火力を発揮し得るとは言い難い。
【０００６】
また、図１３に示されている如く、携帯式ガスバーナにあっては、鍋釜等を載置するための五徳ｉが付設されており、これは運搬とか包装等のため、不使用時には手動操作により回動するなどして、小形化が可能となるよう工夫されている。そして図１３における五徳ｉも、また図１４に例示された携帯式バスバーナも同様に、五徳ｉの図１４（Ａ）に示されている使用状態から、図１５を参照して理解される通り、まず五徳受承腕ｉ１を引き上げることにより、ベース体ｎの隆起部ｐに欠設された係止溝ｑに対して係止されていた五徳受承脚ｉの係止突起ｒを離脱する。この状態から矢印Ｒの方向へ当該五徳受承脚ｉを回動することにより、図１４（Ｂ）に示す如く複数の五徳受承腕ｉ１を一箇所に寄せ集めるようにしている。しかし、この種のものは、集合した一箇所だけが側方へ突出状態となってしまうことから、極めて梱包しにくいものとなり、包装容器の期待される小形化を実現することができない。
【０００７】
また五徳ｉの従来例としては図１６、図１７に例示の如く、バーナヘッドｈに取着された複数の五徳受承腕ｉに関し、取着用ビスｓによりバーナヘッドｈに取り付けた挟着部ｔにあって、その鍵様孔ｕにＬ字状に曲成した五徳受承腕ｉ１の角形係嵌ピンｖを係嵌するようにしたものが知られている。そして、その用法としては図１７（Ａ）の如く使用状態にある五徳受承腕ｉ１を上動して、鍵様孔ｕの下部に係嵌されている角形係嵌ピンｖを、円形状の上部側まで離脱した状態で矢印Ｔ方向に回動し、これにより同図（Ｂ）の如く当該五徳受承腕ｉ１を１８０度回動した後、上記角形係嵌ピンｖを鍵様孔ｕ下部に対して係嵌自在としてあり、かくして五徳受承腕ｉ１は挟着部ｔの下側に収置されることで、当該携帯式ガスバーナの不使用時における小形化を保持可能としている。しかし、上記の如き五徳ｉによるときは、その五徳受承腕ｉ１における載置部ｉ２の長さを大とした場合、その自由端部が空燃混合管ｃに衝当してしまうことから、図１７（Ａ）の使用状態にあって五徳受承腕ｉ１の延出長を大きく設定することができず、この結果大きな鍋、釜等の使用が不能また不便となる欠陥を指摘されている。
【０００８】
【発明が解決しようとする課題】
本発明は従来の携帯式ガスバーナが有する各種の難点を解消しようとするものである。したがって本発明はそのバーナヘッドに関し、基板部と天板部と当該両板部を連設した支脚部とによって、複数に区画された大きな傾斜窓口の開設された骨組体を構成する。そして上記の如く周設された傾斜窓口には、これを閉成するように焼結メタルファイバー製多炎孔バーナエレメントを内設するのである。かくして請求項１にあっては、前記従来例における可成り小面積である金属繊維バーナエレメントｋに比し、傾斜窓口の全外周側面積に近い焼結メタルファイバー製多炎孔バーナエレメントを張設することで、その全面積を大幅に増大可能とし、これにより従来例に比し、さらに小形化しても、充分に多数な微細炎孔を保有させ得るようにしている。
【０００９】
本発明の第２の目的は、複数の傾斜窓口を支脚部によって画成することにより、一つの傾斜窓口における焼結メタルファイバー製多炎孔バーナエレメントに消炎現象が生じたとしても、隣装の焼結メタルファイバー製多炎孔バーナエレメントまで当該消炎が伝播することを前記の支脚部が抑止し、このことにより風防筒などを設けなくとも消炎発生による発炎の消失といった不本意な問題を解消可能にすることである。そして本発明では、このようなバーナヘッドにおける焼結メタルファイバー製多炎孔バーナエレメントを、焼結メタルファイバー製多炎孔体と金網とにより構成するようにした望ましい実施態様を明示している。
【００１０】
本発明は、上記のような構成に加え、そのバーナヘッド内における上位側に回流用面を形成することによって、空燃混合管からの混合気を、周設されている傾斜窓口の焼結メタルファイバー製多炎孔バーナエレメントに指向流出させ得るようにし、これにより充分な火力をもった炎の発生を保証しようとしている。そしてその回流用面を、回流用凹面とするか回流用凸面によって形成することで、上記目的達成上の信頼性をより高めようとしている。
【００１１】
本発明は、また、携帯式ガスバーナにおいて、これに付設されている五徳につき改良を加えたもので、バーナヘッドの天板部上に設けた五徳連結具の取着連枢部を抱被した放射状配置で、上下方向へ折畳み自在なるよう五徳受承腕を適切に連枢する。そして上記五徳連結具には横向スリット、上縁側被係止部を、五徳受承腕には基端側ピン、先端上位側係止部およびスリットを設けることにより、五徳連結具と五徳受承腕との連枢機構を適切に形成することで、五徳受承腕の使用状態からこれを適切に回動操作することで、当該五徳受承腕を垂下状態に垂下状態に折畳み自在なるよう構成するのである。
【００１２】
かかる本発明の目的は、使用時にあって五徳受承腕を充分長く横向延出できるようにして、前説した図１６、図１７の欠点（大鍋等の載置不能）を解消すると共に、不使用時には五徳連結具に添って垂下可能とすることにより（すなわち図１３、図１４で説示した従来例のように五徳受承腕を一箇所に集合させるものでないから）、小形化による包装、梱包に際しての取扱いや搬送を至便にする点でも満足な結果を得ることである。これに係る各種の実施態様として本発明では、五徳受承腕の先端上位側係止部を五徳受承腕の挟持板間に設けた係止ピンで形成すると共に上縁側被係止部を上縁係止欠所で形成したり、先端上位側係止部を係嵌用スリット、上縁側被係止部を突片部でそれぞれ形成したり、また、先端上位側係止部を一対の五徳受承腕による挟持板の突起部、上縁側被係止部を五徳連結具の肉厚両面でそれぞれ形成したりすることにより、上記の目的を確実に達成させる。
【００１３】
【課題を解決するための手段】
本発明は下記(01)〜(04)に示す課題解決手段を特徴とし、これらの手段によって所期の目的を達成するものである。
(01)本発明は、バーナヘッドが空燃混合管に連設されていること、および、液化ガス燃料容器からバルブブロックを介して上記空燃混合管内に流入する燃料ガスと、一次空気流入口から上記空燃混合管内に流入する空気とが、混合気となって当該空燃混合管から上記バーナヘッド内に上向きに噴出されるものであること、および、そのバーナヘッドの外周側位置に五徳が配設されていることを前提とする携帯式ガスバーナにおいて、上記の五徳が前記のバーナヘッドに取着された五徳連結具と、当該五徳連結具の取着連枢部を放射状配置で抱被して上下方向へ折畳み自在となるよう連枢した複数の五徳受承腕とを具備し、当該五徳受承腕の使用時には、その基端側ピンが、前記五徳連結具の横向スリットにおける基端縁部に係嵌されると共に、五徳受承腕の先端上位側係止部が、五徳連結具の上縁側被係止部に係嵌して五徳受承腕を横向状態に位置決め自在であり、五徳受承腕の不使用時には、上記五徳受承腕の先端側を上動することで、前記の先端上位側係止部を五徳連結具の上縁側被係止部から離脱した状態で五徳受承腕を引出し、これにより前記基端側ピンを前同横向スリットの先端縁部に向け移動可能とし、かつ当該状態の五徳受承腕が基端側ピンを中心として回動降下自在なるよう、五徳受承腕の折返し載置端縁部における基端側にあって、抱被された五徳連結具の先端上位角隅部が侵入可能なスリットを欠設し、これにより当該五徳受承腕が五徳連結具の取着連枢部における外側部に被嵌されて、垂下状態に折畳み保持できるものであることを特徴とする。
(02)本発明は、上記(01)の携帯式ガスバーナにおいて、五徳における五徳受承腕の先端上位側係止部が、当該五徳受承腕の折返し載置端縁部により形成された一対の挟持板間に跨設された係止ピンによって形成されると共に、五徳連結具の上縁側被係止部が、上向きに開口した上縁側被係止欠所により形成されていることを特徴とする。
(03)本発明は、上記(01)の携帯式ガスバーナにおいて、五徳における五徳受承腕の先端上位側係止部が、当該五徳受承腕の折返し載置端縁部に欠設した係嵌用スリットにより形成されていると共に、五徳連結具の上縁側被係止部が、上向きに開口して上記の係嵌用スリットに係脱自在な突片部により形成されていることを特徴とする。
(04)本発明は、上記(01)の携帯式ガスバーナにおいて、五徳における五徳受承腕の先端上位側係止部が、当該五徳受承腕の折返し載置端縁部から延出して形成された一対の挟持板にあって、内向きに挟持間隙をもって対設した突起部により形成されていると共に、五徳連結具の上縁側被係止部が、当該五徳連結具の肉厚両面により形成されていることを特徴とする。
【００１４】
【発明の実施の形態】
本発明の携帯式ガスバーナについて、はじめ、図１〜図３を参照して説明する。図３と前掲従来例の説示内容から理解される通り液化ガス燃料容器１からバルブロック２を介して空燃混合管３内へ流入する燃料ガスＧと、上記の空燃混合管３内へ一次空気流入口３ａからの空気Ａとによる混合気ＭＧが、同上空燃混合管３に連設されたバーナヘッド４内へ上向きに噴出されると共に、このバーナヘッド４の外周側位置に配設された五徳７を具有している既知の携帯式ガスバーナの改良に係るものである。本発明では上記のバーナヘッド４の構成に特徴を有するものであって、空燃混合管３よりも太く、図示例では円形に形成された基板部４ａと、この基板部４ａから上向きにして、かつ先細りとなるよう傾斜して連設されている複数、すなわち図示例では四つの支脚部４ｂと、これら支脚部４ｂの上端にあって連設されて、上記した基板部４ａと平行状に配設された天板部４ｃとによって、裁頭円錐状となるよう形成された骨組体４Ａを具有している。
【００１５】
上記骨組体４Ａにあって、その基板部４ａと支脚部４ｂおよび天板部４ｃとによって複数、すなわち図示例では４個の傾斜窓口４ｄが画成されることとなり、当該傾斜窓口４ｄは焼結メタルファイバー製多炎孔バーナエレメント５の内設によって閉成されているのである。ここで、図１、図２の実施態様により当該バーナヘッド４について、さらに詳記すると骨組体４Ａにおける基板部４ａが、支脚具４ｂに連設されて分断状態となるよう形成された複数の被覆帯部４ｅと、図１（Ｂ）により理解される通り、空燃混合管３の上端部に連通して固着された底周板部４ｆと、その外周から立設した周立板部４ｇとからなる基底皿状部４ｈとからなり、当該基底皿状部４ｈに前記の被嵌帯部４ｅを内嵌固着することで構成されている。
【００１６】
また前記の焼結メタルファイバー製多炎孔バーナエレメント５として図１（Ｂ）に例示されているものは、ステンレス鋼等を用いた焼結メタルファイバー製多炎孔体５ａを笠状に形成して、これを骨組体４Ａに内嵌しており、従って傾斜窓口４ｄを閉成していると共に、天板部４ｃの裏側にも当接するようにし、さらに当該焼結メタルファイバー製多炎孔体５ａの内側から、これまた笠状に形成した金網５ｂを嵌合することで形成するようにしている。これに対し図２（Ａ）における実施態様は、環状の焼結メタルファイバー製多炎孔体５ａの嵌合で斜傾窓口４ｄを閉成し、これに上記した笠状の金網５ｂを嵌合してあるので、天板部４ｃの裏面には金網５ｂが直接押当しており、またこの際金網５ｂを採択せずに焼結メタルファイバー製多炎孔体５ａだけで、焼結メタルファイバー製多炎孔バーナエレメント５を形成することもできる。
【００１７】
上記のバーナヘッド４を用いるようにすることで、図１３の従来例の如く単に金属繊維バーナエレメントを平面的に配設だけのものに比し、焼結メタルファイバー製多炎孔バーナエレメント５が、笠形の骨組体４Ａにおける支脚部４ｂを除いた傾斜窓口４ｄにわたる広い周側面に施されていることから、外形は可成り小さいものであっても、格段に多数の微細炎孔をもったバーナヘッド４とすることができる。しかも、一次空気流入口３ａからの流入空気Ａを充分に供給しても消炎状態となることなく、また二次空気の供給も充分に行い得ることから火力の強い炎を得ることができ、支脚部４ｂによって複数の傾斜窓口４ｄが分断されているので、一つの傾斜窓口４ｄにあって消炎現象が生じたとしても、これか隣装の傾斜窓口４ｄにおける発炎状況に対して不都合な影響を派生させる心配がない。なお、上記の説明内容にもある通り、焼結メタルファイバー製多炎孔バーナエレメント５が、焼結メタルファイバー製多炎孔体５ａと金網５ｂとにより形成されていてもよいことを内容としていると共に、さらにこの焼結メタルファイバー製多炎孔体５ａが、焼結金属繊維束による織物とか、焼結金属繊維を絡めたウエブで形成されていてもよいことを明示している。ここで上述した焼結メタルファイバー製多炎孔体５ａには、既知の如くステンレス繊維からなるステンレスファイバーマット等を使用することが望ましいが、これは当該金属ファイバーの酸化に伴って表面層が次第に崩落することも知られていることから、ステンレスファイバーマットの表面に多孔質セラミック層を接合することにより、高耐熱性を保有すべきことも提案されている。
【００１８】
つぎに図１（Ｂ）を参照して説明すると、ここに例示されたものには以下の内容が付加されている。すなわち、既説のバーナヘッド４内における上位側にあって、空燃混合管から上向きに流出の混合気ＭＧが、前説の傾斜窓口４ｄを閉成して内設の焼結メタルファイバー製多炎孔バーナエレメント５に向けて変向されるようにした回流用面６を形成するのである。このため図１（Ａ）にあっては、前記天板部４ｃの中央にあって取着用螺筒６ａを貫装固設し、上記した回流用面６として下向きである回流用凹面６ｂを採択し、これが止螺子６ｃを取着用螺筒６ａに螺着することにより形成されるようにしてある。図中、取着用螺筒６ａの上端部に固定螺子６ｄにより固着されているのは、後述する五徳７を設けるための五徳用取着金具６ｅを示している。
【００１９】
本発明のこの携帯用ガスバーナによるときは、空燃混合管３から上向きに流出して来る混合気ＭＧを、強制的に外周側の焼結メタルファイバー製多炎孔バーナエレメント５に向けて変向することになるので、前記の作用に加え、一層燃焼効率が助勢され高出力で安定した炎の継続を保証することになる。上記の回流用面６については回流用凹面６ｂを採択するようにしてもよい。これについては、また、図２（Ｂ）に例示する通り、図１（Ｂ）の部材を反転し止螺子６ｃを取着用螺筒６ａに螺着することで回流用凸面６ｆを形成するようにしても、回流用凹面６ｂの場合と同等の作用を発揮させることができる。
【００２０】
本発明は、また、前述した携帯式ガスバーナの構成に特異な折畳み式の五徳７を採択したりする。この場合は、前記した天板部４ｃにおける五徳用取着金具６ｅを利用してバーナヘッド４に取着された五徳連結具７ａと、取着連枢部７ｂを抱被して図４のような放射状配置で上下方向へ折畳み自在となるよう連枢された複数の五徳受承腕７ｃとが具備されている。ここで図３・図５・図６に示した実施態様では、上記の五徳用取着金具６ｅに連設された五徳連結具７ａが、その複数固設された板状の上記取着連枢部７ｂにより、バーナヘッド４の天板部４ｃと基板部４ａとに係嵌されることで挟装取着される。
【００２１】
本発明携帯式ガスバーナについて、上記五徳受承腕７ｃの操作による挙動を図５・図６に基づき説明すると、取着連枢部７ｂにおける上位側にあって横向スリット７ｄが穿設されていると共に、上端縁には上縁側被係止部７ｅとしての上縁係止欠所７ｅが欠設されている。一方、前記の五徳受承腕７ｃには、上記横向スリット７ｄに係嵌された基端側ピン７ｆと、上記の上縁係止欠所７ｅに係脱自在な先端上位側係止部７Ｇとしての先端側ピン７ｇが設けられ、さらに五徳受承腕７ｃにおける折返し載置端縁部７ｈの基端側には、スリット７ｉが欠設されている。ここで、７ｊは横向スリット７ｄの基端部、７ｋは同じく横向スリット７ｄの先端縁部を示し、７ｍは前記取着連枢部７ｂにおける外側部７ｎの先端上位角隅部を示す。さらに図３・図４において、２ａはガス流量調整つまみを示す。
【００２２】
上記五徳受承腕７ｃの使用状態や不使用状態はつぎの通りである。図５（Ａ）は五徳受承腕７ｃの使用状態である。これは前記基端側ピン７ｆが五徳連結具７ａの横向スリット７ｄにおける基端縁部７ｉに係嵌され、かつ、五徳受承腕７ｃの先端側ピン７ｇが五徳連結具７ａの前記上縁係止欠所７ｅに係嵌されること、すなわち、五徳受承腕７ｃが横向の伸長状態に位置決め自在となるよう構成されていることで使用状態にできるものである。この五徳受承腕７ｃを使用状態から不使用状態にするときは、まず図５（Ｂ）のように五徳受承腕７ｃの先端側を上動することで先端側ピン７ｇを五徳連結具７ａの上縁係止欠所７ｅから離脱させ、ついで図６（Ａ）のように五徳受承腕７ｃを引き出す。これで基端側ピン７ｆは横向スリット７ｄの先端縁部７ｋ側に移動する。五徳受承腕７ｃが基端側ピン７ｆを中心として図６（Ａ）の状態から図６（Ｂ）のように回動降下するように、五徳受承腕７ｃにおいて折返し載置端縁部７ｈの基端側にある前記スリット７ｉは、抱被された五徳連結具７ａの先端上位角隅部７ｍに侵入可能なるよう欠設されているのである。したがって五徳受承腕７ｃは、五徳連結具７ａの取着連枢部７ｂにおける外側部に被嵌することで、図６（Ｂ）の如き垂下状態の折畳み状態となる。
【００２３】
以上のように五徳７が構成されているため、本発明携帯式ガスバーナの使用に際し、五徳受承腕７ｃをバーナヘッド４に設けられた五徳連結具７ａから充分に長く延出することができ、そこに大容量の鍋釜を乗せることができる。しかも簡易な操作で、五徳受承腕７ｃは五徳連結具７ａの取着連枢部７ｂに対し、これを抱持するようにして垂下状態とすることができ、このため不使用による収納とか梱包に際しては、その外径を均一にして、しかも取着連枢部７ｂと殆ど変わらない位置まで減縮して小形化することが可能となる。
【００２４】
本発明携帯式ガスバーナの他実施態様について図７〜図９を参照して説明すると、前記した五徳７における五徳受承腕７ｃの先端上位側係止部７Ｇとしては、この五徳受承腕７ｃにおける折返し載置端縁部７ｈにあって欠設された係嵌用スリット７ｇ’が採択されている。そして五徳連結具７ａの上縁側被係止部７Ｅは、上記した係止用スリット７ｇ’に対して係脱自在なるよう設けられた突片部７ｅ’によって形成するのである。従って当該実施態様の場合にあっても、図８のように五徳連結具７ａの突片部１ｅ’に対して、五徳受承腕７ｃの係嵌用スリット７ｇ’を係止することで、当該五徳受承腕７ｃを使用可能な水平状態に保持できるのである。これについてはすでに説明した内容からも理解し得るところである。さらに、図９のように五徳受承腕７ｃを既説の如く回動操作することでこれを垂下状態に折り畳めることが、ここでは説明省略されている。
【００２５】
本発明携帯式ガスバーナの別異の実施態様について、図１０〜図１２を参照して説明する。ここでは突片部７ｅ’や係嵌用スリット７ｇ’をも図示しているが、もちろんこれらを採択しなくとも、以下に示す構成が具備されていれば五徳受承腕７ｃを図１１の使用状態に保持したり、図１２の折畳み状態とすることが可能である。この実施態様では、まず図１０（Ａ）（Ｂ）によって理解される通り五徳受承腕７ｃの先端上位側係止部７Ｇが、前記折返し載置端縁部７ｈから延出して形成された一対の挟持板７ｃ１、７ｃ２にあって、内向きに挟持間隙ｇをもって対設した突起部７ｐ、７ｐにより形成されている。そして五徳連結具７ａの上縁側被係止部７Ｅが、当該五徳連結具７ａの肉厚両面７ｑ、７ｑによって形成されるようにしている。従ってこの実施態様の場合、既述の説明で詳記した内容からも理解される通り、図１１の如く五徳受承腕７ｃの使用状態にあっては、その突起部７ｐ、７ｐにおける挟持間隙ｇに取着連枢部７ｂが圧入固持されることにより、当該使用状態が保持されると共に、図１２の如き折畳み状態とすることができる。この際には上記の突起部７ｐ、７ｐが前記取着連枢部７ｂの外側部７ｎに欠設された切込部７ｒに挿入されることで突起部７ｐ、７ｐにより取着連枢部７ｂが挟圧挟持されることがなくなり、また五徳受承腕７ｃを充分に閉じた折畳み状態とすることができる。
【００３０】
【発明の効果】
本発明に係る携帯式ガスバーナは、焼結メタルファイバー製多炎孔バーナエレメントを骨組体における傾斜窓口に張装内設するようにしたので、極めて多数の微細な炎孔を自蔵する焼結メタルファイバー製多炎孔バーナエレメントが、側方へ向けて大形化することなしに広面積にわたり配設され得ることとなり、この結果、従来例に比し極めて多数の炎孔を保有させ、一時的流入空気の増量により消炎状態が生ずるといったことも解消することができる。さらに、複数の傾斜窓口は支脚部によって画成されていることから、風防筒などを設けなくとも、消炎状態が隣装の傾斜窓口における焼結メタルファイバー製多炎孔バーナエレメントにまで伝播してしまうことなく、従って消炎消失といったことを確実に阻止することができる。このほか、焼結メタルファイバー製多炎孔バーナエレメントとしても望ましいものを備えているものである。
【００３１】
本発明に係る携帯式ガスバーナは、バーナヘッドの構成に対して、さらにバーナヘッド内に設けた回流用面により、空燃混合管からの混合気を、前記の焼結メタルファイバー製多炎孔バーナエレメントに対して指向流出させ得るようにしたので、これにより充分な火力を発生し得ることになる。上記回流用面は凹面であっても凸面であっても、上記の効果を発揮し得る。
【００３２】
本発明に係る携帯式ガスバーナで五徳は、これをバーナヘッドに設けた五徳連結具に対して、五徳受承腕を保持状態で、五徳連結具の横向スリットとか上端側被係止部そしてスリットの設定と、五徳受承腕の基端側ピンと先端上位側係止部の適切な連係、係止の構成により、使用時には充分な横向伸長状態とすることができる。しかも不使用時には小形な五徳連結具と同等位置まで折り畳むことができるようにしたので、安心して大きな鍋釜を使用でき、かつ折り畳むことで従来例に比し大幅に小形化できるので、持ち運びとか包装、梱包、運搬に際して至便である。さらに、上記した先端上位側係止部を先端側ピンとか係嵌用スリットそして突起部により形成し、かつ、上端側被係止部を夫々上縁係止欠所とか突片部そして五徳連結具の肉厚両面により形成することで、前述した効果を確実に発揮することができる。
【図面の簡単な説明】
【図１】  （Ａ）は本発明に係る携帯式ガスバーナのバーナヘッドにおける頭部のみを示した正面図で、（Ｂ）はそのバーナヘッド頭部と空燃混合管に連設のバーナヘッド基部とを示した一部切欠の正面略示説明図である。
【図２】  （Ａ）は本発明に係るバーナヘッドの他実施態様を示す一部切欠の正面略示説明図で、（Ｂ）は本発明に係るバーナヘッドの要部縦断正面図である。
【図３】  本発明に係る携帯式ガスバーナの使用状態における要部を示した正面略示図である。
【図４】  図３の携帯式ガスバーナを示す平面略示図である。
【図５】  本発明に係る携帯式ガスバーナの五徳連結具と五徳受承腕との相互関係を示し、（Ａ）は五徳使用状態における一部切欠の正面略示図で、（Ｂ）は五徳受承腕の上向き回動状況を示した正面略示図である。
【図６】  （Ａ）は図５（Ｂ）の状態から五徳受承腕を引出した状況を示す正面略示図で、（Ｂ）はさらに五徳受承腕を回動降下させて垂下させた状態の正面略示図である。
【図７】  （Ａ）は本発明に係る携帯式ガスバーナの五徳受承腕を示す正面図で、（Ｂ）は五徳連結具の一部材を示した正面図である。
【図８】  図７の五徳連結具と五徳受承腕との五徳使用状態における正面略示図である。
【図９】  図７の五徳連結具と五徳受承腕との折畳み状態を示した正面略示図である。
【図１０】  （Ａ）は本発明に係る携帯式ガスバーナの五徳受承腕を示す正面図で、（Ｂ）は（Ａ）のＢ−Ｂ線拡大断面説明図である。
【図１１】  図１０の五徳連結具と五徳受承腕との五徳使用状態を示した正面略示図である。
【図１２】  図１０の五徳連結具と五徳受承腕との折畳み状態を示した正面略示図である。
【図１３】  従来の携帯式ガスバーナを示し、（Ａ）はその縦断正面説明図、（Ｂ）はそのバーナヘッド箇所を示す平面図である。
【図１４】  図１３の携帯式ガスバーナを示し、（Ａ）は五徳受承腕の使用状態における平面略示図で、（Ｂ）は不使用折畳み状態の平面略示図である。
【図１５】  他の従来の携帯式ガスバーナについて五徳受承腕の使用保持状態を示した要部正面説明図である。
【図１６】  その他の従来の携帯式ガスバーナを示した平面略示説明図である。
【図１７】  （Ａ）は図１６に係る携帯式ガスバーナの使用状態から五徳受承腕を引き上げ状態とした要部正面図で、（Ｂ）は不使用時の折畳み完了状態を示す要部正面図である。
【符号の説明】
１      液化ガス燃料容器
２      バルブブロック
３      空燃混合管
３ａ    一次空気流入口
４      バーナヘッド
４Ａ    骨組体
４ａ    基板部
４ｂ    支脚部
４ｃ    天板部
４ｄ    傾斜窓口
５      焼結メタルファイバー製多炎孔バーナエレメント
５ａ    焼結メタルファイバー製多炎孔体
５ｂ    金網
６      回流用面
６ｂ    回流用凹面
６ｆ    回流用凸面
７      五徳
７Ｅ    上縁側被係止部
７Ｇ    先端上位側係止部
７ａ    五徳連結具
７ｂ    取着連枢部
７ｃ    五徳受承腕
７ｃ１  挟持板
７ｃ２  挟持板
７ｄ    横向スリット
７ｅ    上縁係止欠所
７ｅ’  突片部
７ｆ    基端側ピン
７ｇ    先端側ピン
７ｇ’  係嵌用スリット
７ｈ    折返し載置端縁部
７ｉ    スリット
７ｊ    基端縁部
７ｋ    先端縁部
７ｍ    先端上位角隅部
７ｎ    外側部
７ｐ    突起部
７ｑ    肉厚両面
Ａ      空気
Ｇ      燃料ガス
ｇ      挟持間隙
ＭＧ    混合気
【図１】
0003954856.tif 000002
【図２】
0003954856.tif 000003
【図３】
0003954856.tif 000004
【図４】
0003954856.tif 000005
【図５】
0003954856.tif 000006
【図６】
0003954856.tif 000007
【図７】
0003954856.tif 000008
【図８】
0003954856.tif 000009
【図９】
0003954856.tif 000010
【図１０】
0003954856.tif 000011
【図１１】
0003954856.tif 000012
【図１２】
0003954856.tif 000013
【図１３】
0003954856.tif 000014
【図１４】
0003954856.tif 000015
【図１５】
0003954856.tif 000016
【図１６】
0003954856.tif 000017
【図１７】
0003954856.tif 000018